(57)【要約】      （修正有）【課題】複数ディスプレイを有効に利用可能とする情報処理端末の提供。【解決手段】情報処理端末１０は、表示に用いるディスプレイ数、あるいはディスプレイサイズが可変である表示部と、ユーザ操作を契機に、分割したディスプレイ１１、１２のそれぞれに対して独立したアプリケーションの画面を表示するデュアルモードと、ディスプレイ１１、１２全体を１つのディスプレイとみなし、該１つのディスプレイに対して１つのアプリケーションの画面を表示するラージモードとを切り替え制御する制御部とを備える。【選択図】図１
2014149699.tif 000002
【特許請求の範囲】
【請求項１】
表示に用いるディスプレイ数、あるいはディスプレイサイズが可変である表示部と、
ユーザ操作を契機に、分割したディスプレイのそれぞれに対して独立したアプリケーションの画面を表示するデュアルモードと、ディスプレイ全体を１つのディスプレイとみなし、該１つのディスプレイに対して１つのアプリケーションの画面を表示するラージモードとを切り替え制御する制御部と
を備えることを特徴とする情報処理端末。
【請求項２】
前記制御部は、前記ユーザ操作の契機として、筐体の開閉操作に応じてディスプレイ数、あるいはディスプレイサイズが変わったことを契機に前記デュアルモードと前記ラージモードとを切り替える
ことを特徴とする請求項２に記載の情報処理端末。
【請求項３】
前記制御部は、前記ユーザ操作の契機として、ユーザによるボタン操作を契機に前記デュアルモードと前記ラージモードとを切り替える
ことを特徴とする請求項２に記載の情報処理端末。
【請求項４】
前記制御部は、前記表示部のディスプレイが前面に配置されている状態で、前記デュアルモードと前記ラージモードとを切り替える
ことを特徴とする請求項１から３のいずれかに記載の情報処理端末。
【請求項５】
少なくとも任意のアプリケーションと特定のアプリケーションを有し、
前記制御部は、前記デュアルモードでは、前記任意のアプリケーションの画面と前記特定のアプリケーションの画面とを、分割したディスプレイのそれぞれに対して表示させ、前記ラージモードでは、前記任意のアプリケーションの画面を前記１つのディスプレイに対して表示させる
ことを特徴とする請求項４に記載の情報処理端末。
【請求項６】
前記特定のアプリケーションは、複数の画面の同時利用に有用な機能として、少なくともメモ機能、ブラウザ機能、静止画閲覧機能、動画閲覧機能を有する
ことを特徴とする請求項５に記載の情報処理端末。
【請求項７】
前記特定のアプリケーションは、別画面のキャプチャ画像を表示する機能を有する
ことを特徴とする請求項５に記載の情報処理端末。
【請求項８】
前記特定のアプリケーションは、別画面から検索ワードを抽出し、インターネット内の検索結果を表示する機能を有する
ことを特徴とする請求項５に記載の情報処理端末。
【請求項９】
表示に用いるディスプレイ数、あるいはディスプレイサイズが可変である表示部を有する情報処理端末の制御方法であって、
ユーザ操作を検出するステップと、
前記ユーザ操作が検出されたことを契機に、分割したディスプレイのそれぞれに対して独立したアプリケーションの画面を表示するデュアルモードと、ディスプレイ全体を１つのディスプレイとみなし、該１つのディスプレイに対して１つのアプリケーションの画面を表示するラージモードとを切り替え制御するステップと
を含むことを特徴とする制御方法。
【請求項１０】
表示に用いるディスプレイ数、あるいはディスプレイサイズが可変である表示部を有する情報処理端末のコンピューに、
ユーザ操作を検出する検出機能、
前記ユーザ操作が検出されたことを契機に、分割したディスプレイのそれぞれに対して独立したアプリケーションの画面を表示するデュアルモードと、ディスプレイ全体を１つのディスプレイとみなし、該１つのディスプレイに対して１つのアプリケーションの画面を表示するラージモードとを切り替え制御する制御機能
を実行させることを特徴とするプログラム。
【発明の詳細な説明】
【技術分野】
【０００１】
本発明は、複数のタッチパネルディスプレイを備えた携帯情報端末、制御方法、及びプログラムに関する。
【背景技術】
【０００２】
携帯電話機、スマートフォン、携帯情報端末、パーソナルコンピュータなどの携帯情報端末では、１画面のタッチパネルでの表示・操作を主とした、任意のアプリケーションをインストールして利用できるシステムが多く利用されている。各アプリケーションは、１つの画面に表示され、ユーザは、必要に応じてアプリケーションを切り替えながら、一連のタスク操作を行う。
【０００３】
近年、上記携帯情報端末においては、２つの画面を備えたものがある。このような携帯情報端末においては、１つの画面を前提としたシステムを流用し、既存のアプリケーション資産を活用しようとした場合、２画面分のディスプレイサイズを１画面として扱い、アプリケーションを大きく表示することはアプリケーションの表示サイズの差分だけでシステムの動作上は変わらないので問題ない。これに対して、２つのアプリケーションを２つの画面にそれぞれ表示・動作させる、いわゆるサイマルタスクについては、既存のアプリケーション資産では考慮されていないため、既存のアプリケーション資産を２つ同時に正常に動作させることが困難である。
【０００４】
例えば、特許文献１には、２画面を有する情報処理端末におけるソフトウェアの描画の切り替え技術が提案されている。
【先行技術文献】
【特許文献】
【０００５】
【特許文献１】特開２０１２−１４１９０３号公報
【発明の概要】
【発明が解決しようとする課題】
【０００６】
しかしながら、上記特許文献１では、特定のブラウザアプリケーション内における動作のみを注視しており、その他の点については考慮されていない。また、特許文献１では、筐体開閉等による、筐体１画面状態と筐体２画面状態とを切り替えた場合の動作については考慮されていない。このため、特許文献１の技術では、複数のディスプレイを有効に利用することができないという問題がある。
【０００７】
そこで本発明は、複数のディスプレイを有効に利用することができる携帯情報端末、制御方法、及びプログラムを提供することを目的とする。
【課題を解決するための手段】
【０００８】
本発明の情報処理端末は、表示に用いるディスプレイ数、あるいはディスプレイサイズが可変である表示部と、ユーザ操作を契機に、分割したディスプレイのそれぞれに対して独立したアプリケーションの画面を表示するデュアルモードと、ディスプレイ全体を１つのディスプレイとみなし、該１つのディスプレイに対して１つのアプリケーションの画面を表示するラージモードとを切り替え制御する制御部とを備えることを特徴とする情報処理端末である。
【０００９】
本発明の制御方法は、表示に用いるディスプレイ数、あるいはディスプレイサイズが可変である表示部を有する情報処理端末の制御方法であって、ユーザ操作を検出するステップと、前記ユーザ操作が検出されたことを契機に、分割したディスプレイのそれぞれに対して独立したアプリケーションの画面を表示するデュアルモードと、ディスプレイ全体を１つのディスプレイとみなし、該１つのディスプレイに対して１つのアプリケーションの画面を表示するラージモードとを切り替え制御するステップとを含むことを特徴とする制御方法である。
【００１０】
本発明のプログラムは、表示に用いるディスプレイ数、あるいはディスプレイサイズが可変である表示部を有する情報処理端末のコンピューに、ユーザ操作を検出する検出機能、前記ユーザ操作が検出されたことを契機に、分割したディスプレイのそれぞれに対して独立したアプリケーションの画面を表示するデュアルモードと、ディスプレイ全体を１つのディスプレイとみなし、該１つのディスプレイに対して１つのアプリケーションの画面を表示するラージモードとを切り替え制御する制御機能を実行させることを特徴とするプログラムである。
【発明の効果】
【００１１】
この発明によれば、複数のディスプレイを有効に利用することができる。
【図面の簡単な説明】
【００１２】
【図１】本発明の実施形態による携帯情報端末の外観を示す正面図である。
【図２】本実施形態による携帯情報端末１０の機能的な構成を示すブロック図である。
【図３】本実施形態による携帯情報端末１０の表示モード（デュアルモード、ラージモード）を説明するための模式図である。
【図４】本実施形態による携帯情報端末１０の動作（表示制御）を説明するためのフローチャートである。
【図５】本実施形態による携帯情報端末１０の筐体の開閉操作に伴うアプリケーションの起動・表示制御（デュアルモード）を説明するための模式図である。
【図６】本実施形態による携帯情報端末１０の筐体の開閉操作に伴うアプリケーションの起動・表示制御（ラージモード）を説明するための模式図である。
【図７】本実施形態において、サブアプリ１０４の機能の一例を示す模式図である。
【図８】本実施形態によるサブアプリ１０４の一機能を説明するための模式図である。
【図９】本実施形態によるサブアプリ１０４の一機能を説明するための模式図である。
【図１０】本発明のその他の実施形態による携帯情報端末での表示例を示す模式図である。
【発明を実施するための形態】
【００１３】
以下、本発明の実施の形態を、図面を参照して説明する。
【００１４】
図１は、本発明の実施形態による携帯情報端末の外観を示す正面図である。本実施形態の携帯情報端末１０は、一例として通信機能を備えた携帯情報端末であり、開閉可能に接続された２つの筐体１３、１４からなり、各筐体１３、１４のそれぞれにディスプレイ１１、１２を備えている。２つのディスプレイ１１、１２は、筐体１３と筐体１４を開いた状態で表示面が同じ方向を向き、ユーザの視界に同時に入るように配置されている。
【００１５】
図２は、本実施形態による携帯情報端末１０の機能的な構成を示すブロック図である。図２において、携帯情報端末１０は、表示部１５、開閉検出部１６、及び制御部１７を備えている。表示部１５は、ディスプレイ１１、１２を有している。ディスプレイ１１、１２は、それぞれに画面を表示する機能と、ユーザの指やペンによるタッチ操作を検出する機能とを有するタッチパネル式の表示入力装置である。ディスプレイ１１、１２は、制御部１６からの制御で画面を表示し、ユーザがタッチした位置を示すタッチ入力情報を制御部１６に通知する。
【００１６】
開閉検出部１６は、機械機構や、磁気的機構などのセンサ手段からなり、筐体１３、１４の開閉状態を検出する。制御部１６は、ディスプレイ１１、１２への操作によるユーザの指示に従って処理を実行し、処理に応じた画面をディスプレイ１１、１２に表示する。特に、制御部１６は、開閉検出部１６により検出される筐体１３、１４の開閉状態に応じて、ディスプレイ１１、１２への表示を行うアプリケーションの起動や、起動したアプリケーションによるディスプレイ１１、１２への表示制御を実行する。
【００１７】
本実施形態では、便宜上、２つのディスプレイ１１、１２の画面のうち、常に表示される側をメイン画面と呼ぶ。これに対して、筐体開閉等により、前面に配置する／しないを切り替えることのできる側をサブ画面と呼ぶ。以下では、ディスプレイ１１をメイン画面、ディスプレイ１２をサブ画面とする。また、筐体開閉等により、メイン画面のみが前面に配置されている状態を「筐体１画面状態」と呼び、メイン画面とサブ画面が共に前面に配置されている状態を「筐体２画面状態」と呼ぶ。
【００１８】
本実施形態では、２つのディスプレイ１１、１２の画面に対して、それぞれ別のアプリケーションを起動する場合、２つのアプリケーションを自由に起動可能とするのではなく、ディスプレイ１２のサブ画面では、特定のアプリケーション（以下、サブアプリと呼ぶ）を起動可能とし、ディスプレイ１１のメイン画面では、サブアプリを除く任意のアプリケーション（以下、ＡｎｙＡｐｐとする）を自由に起動可能としている。なお、ＡｎｙＡｐｐのアプリケーションの表示内容の具体例については後述する。
【００１９】
特に、本実施形態では、筐体２画面状態において、サブアプリとＡｎｙＡｐｐとを並べて同時に利用することを特徴とする。また、本実施形態では、筐体２画面状態において、ＡｎｙＡｐｐを、２画面全体を使って大きく表示することも可能とする。
【００２０】
また、本実施形態では、筐体開等により、筐体１画面状態から筐体２画面状態へ切り替えた場合の動作として、メイン画面で元々表示していたＡｎｙＡｐｐをそのまま起動した状態で、サブ画面にサブアプリを表示する場合と、メイン画面で元々表示していたＡｎｙＡｐｐを、２画面全体を用いて表示する場合が考えられる。これに対応するため、本実施形態では、筐体１画面状態から筐体２画面状態へ切り替えた際の動作の設定、及び筐体２画面状態において簡易に切り替えられる方法を提供する。
【００２１】
また、本実施形態では、筐体２画面状態において、メイン画面にＡｎｙＡｐｐを、サブ画面にサブアプリを起動している状態をデュアルモードと呼ぶ。これに対して、ＡｎｙＡｐｐが２画面全体を用いて大きく表示している状態をラージモードと呼ぶ。
【００２２】
図３は、本実施形態による携帯情報端末１０の表示モード（デュアルモード、ラージモード）を説明するための模式図である。図３の左側にデュアルモードを、図３の右側にラージモードを示している。デュアルモードにおいては、ＡｎｙＡｐｐ１０３が、メイン画面１０１（ディスプレイ１１）側を用いて動作し、サブアプリ１０４が、サブ画面１０２（ディスプレイ１２）側を用いて動作する。また、ラージモードにおいては、ＡｎｙＡｐｐ１０３が、メイン画面１０１とサブ画面１０２とを合わせて１つの大きなディスプレイとして扱い、その上で表示・動作する。
【００２３】
デュアルモードとラージモード共に、システム操作エリア内にモード切替ボタン１０５を有しており、モード切替ボタン１０５のユーザ操作（スライド操作）により、デュアルモードとラージモードを切り替えることが可能となっている。なお、詳細は後述するが、サブアプリは複数の機能を有しており、機能切替ボタン１０６のユーザ操作（タッチ操作）によって機能を切り替えることが可能となっている。
【００２４】
図４は、本実施形態による携帯情報端末１０の動作（表示制御）を説明するためのフローチャートである。制御部１７は、まず、初期設定としてデュアルモードに設定する（ステップＳ１０）。初期設定をデュアルモードとするのは、一例であり、予めユーザにより設定されたモードとなる。次に、制御部１７は、開閉検出部１６の検出結果を取得し（ステップＳ１２）、該検出結果から筐体１画面状態であるか否かを判別する（ステップＳ１４）。そして、筐体が閉じたい状態、すなわち筐体１画面状態である場合には（ステップＳ１４のＹＥＳ）、制御部１７は、メイン画面１０１でＡｎｙＡｐｐ１０３を起動する（ステップＳ１６）。その後、ステップＳ１２に戻る。
【００２５】
一方、筐体が開いた状態、すなわち筐体２画面状態である場合には（ステップＳ１４のＮＯ）、制御部１７は、デュアルモードであるか否かを判別する（ステップＳ１８）。そして、この場合、初期設定でデュアルモードに設定されているので（ステップＳ１８のＹＥＳ）、制御部１７は、メイン画面１０１でＡｎｙＡｐｐ１０３を起動し（ステップＳ２０）、サブ画面１０２でサブアプリ１０４を起動する（ステップＳ２２）。
【００２６】
その後、制御部１７は、モード切替操作（モード切替ボタン１０５のユーザ操作）があったか否かを判別し（ステップＳ２６）、モード切替操作があった場合には（ステップＳ２６のＹＥＳ）、モードを切り替える（ステップＳ２８）。すなわち、現在、デュアルモードに設定されている場合には、ラージモードに切り替え、ラージモードに設定されている場合には、デュアルモードに切り替える。その後、ステップＳ１２に戻る。
【００２７】
一方、デュアルモードでない場合には（ステップＳ１８のＮＯ）、メイン画面１０１とサブ画面１０２とを１つの画面とみなし、ＡｎｙＡｐｐ１０３を拡大表示する（ステップＳ２４）。次に、モード切替操作（モード切替ボタン１０５のユーザ操作）があったか否かを判別し（ステップＳ２６）、モード切替操作があった場合には（ステップＳ２６のＹＥＳ）、上述したようにモードを切り替える（ステップＳ２８）。その後、ステップＳ１２に戻る。
【００２８】
（デュアルモードとラージモードの切り替え）
図５は、本実施形態による携帯情報端末１０の筐体の開閉操作に伴うアプリケーションの起動・表示制御（デュアルモード）を説明するための模式図である。携帯情報端末１０は、図５の右側に示す閉状態では、ディスプレイ１２（サブ画面１０２）を備える筐体１４が、ディスプレイ１１（メイン画面１０１）を備える筐体１３の裏側に回り込み、筐体１３と重なるような状態、すなわち筐体１画面状態となる。該筐体１画面状態では、ディスプレイ１１（メイン画面１０１）に、ＡｎｙＡｐｐ１０３を表示（起動）する。
【００２９】
次に、筐体１画面状態において、ディスプレイ１２（サブ画面１０２）を備える筐体１４を、図５の中央に示すように回動させると、図５の右側に示すように開状態、すなわち、ディスプレイ１１（メイン画面１０１）とディスプレイ１２（サブ画面１０２）とが共に前面に配置されている筐体２画面状態となる。該筐体２画面状態では、上述したように、デュアルモード、またはラージモードでの表示制御が可能となっている。図５に示す例は、デュアルモードの場合であるので、メイン画面１０１（ディスプレイ１１）側に、ＡｎｙＡｐｐ１０３を表示（起動）し、サブ画面１０２（ディスプレイ１２）側に、サブアプリ１０４を表示（起動）する。
【００３０】
このように、デュアルモードでは、図５に示すように、筐体１画面状態においてＡｎｙＡｐｐ１０３が動作中に、筐体１４が開かれて筐体２画面状態になると、サブ画面１０２でサブアプリ１０４を起動する状態になる。なお、サブアプリ１０４の特徴については後述する。
【００３１】
図６は、本実施形態による携帯情報端末１０の筐体の開閉操作に伴うアプリケーションの起動・表示制御（ラージモード）を説明するための模式図である。携帯情報端末１０は、図６の右側に示す閉状態では、図５と同様に、筐体１画面状態となる。該筐体１画面状態では、ディスプレイ１１（メイン画面１０１）に、ＡｎｙＡｐｐ１０３が表示（起動）される。
【００３２】
次に、筐体１画面状態において、ディスプレイ１２（サブ画面１０２）を備える筐体１４を、図６の中央に示すように回動させると、図５と同様に、筐体２画面状態となる。図６に示す例は、ラージモードの場合であるので、メイン画面１０１とサブ画面１０２とを１つの画面とみなした上で、２画面に渡ってＡｎｙＡｐｐ１０３を表示（起動）する。
【００３３】
このように、本実施形態では、図５、図６に示すように、筐体開閉により、筐体１画面状態と筐体２画面状態とを切り替えることが可能となっている。なお、筐体１画面状態では、サブ画面１０２（ディスプレイ１２）は、消灯・操作無効となる。
【００３４】
また、デュアルモードとラージモードの切り替えは、図５、図６に示すモード切替ボタン１０５をスライド操作することによって容易に切り替えることが可能となっている。さらに、筐体１３、１４が開かれた際に、デュアルモードとラージモードのどちらのモードとなるかを予め設定しておくようにしてもよい。つまり、ユーザが任意の利用方法を選択できるようにすることで利便性を向上させる。
【００３５】
次に、本実施形態によるサブアプリ１０４の特徴について説明する。
図７は、本実施形態において、サブアプリ１０４の機能の一例を示す模式図である。前述したように、サブアプリ１０４は、複数の機能を有しており、図７に示すように、機能切替ボタン１０６によって実行すべき機能を切り替えることが可能となっている。サブアプリ１０４は、メイン画面１０１側と並べて同時利用するものであり、ＡｎｙＡｐｐ１０３の利用のサポートに特化した機能として、メモ作成・編集・閲覧機能、ブラウザ機能、画像閲覧機能、動画閲覧機能を備えている。これらメモ作成・編集・閲覧機能、ブラウザ機能、画像閲覧機能、動画閲覧機能は、サブアプリ１０４内で利用することができる。
【００３６】
図８は、本実施形態によるサブアプリ１０４の一機能を説明するための模式図である。図８には、メイン画面１０１をキャプチャし、サブ画面１０２側でそれを表示・保存する機能を有するサブアプリ１０４の動作例（画面遷移）を示している。
【００３７】
図８の左側には、メイン画面１０１にＡｎｙＡｐｐ１０３が起動しており、地図付きのメールが表示され、サブ画面１０２にサブアプリ１０４が起動している状態が示されている。図８の中央には、サブアプリ１０４の機能切替ボタン１０６を操作（機能Ｄを選択）することで、サブアプリ１０４は、メイン画面１０１の画面をキャプチャし、サブ画面１０２側に、それを表示している状態が示されている。該サブ画面１０２には、「保存」ボタンが配置されており、該「保存」ボタンをタッチ操作することで、キャプチャした画面を保存することが可能となっている。
【００３８】
また、図８の右側には、サブ画面１０２にキャプチャ画像を表示した状態で、メイン画面１０１にカレンダを表示する状態が示されている。この場合、メイン画面１０１に表示されたカレンダと、サブ画面１０２に表示しているキャプチャ画像内の日時とを比べることで、スケジュールの空きを確認したり、スケジュールに予定を加えたりすることが可能となっている。このように、サブ画面１０２にそのキャプチャ画像を表示したまま、メイン画面１０１側で操作することが可能である。
【００３９】
図９は、本実施形態によるサブアプリ１０４の一機能を説明するための模式図である。図９には、メイン画面１０１から文字を抽出し、それを検索ワードとしてサブアプリ１０４のブラウザ機能にて検索結果を表示する機能を有するサブアプリ１０４の動作例（画面遷移）を示している。
【００４０】
図９の上段左側には、メイン画面１０１にＡｎｙＡｐｐ１０３が起動しており、地図付きのメールが表示され、サブ画面１０２にサブアプリ１０４が起動している状態が示されている。図９の上段右側には、ユーザがメイン画面１０１の地図付きのメールをタッチ操作している様子が示されている。
【００４１】
また、図９の下段左側には、ユーザがメイン画面１０１の地図付きのメールをタッチ操作し、調べたい文字列を選択している様子が示されている。図示の例では、メールに記されている「場所」に関する文字列が選択されている。選択された文字列は、ハイライト表示される。次に、図９の下段右側には、上記調べたい文字列をハイライト表示した状態で、サブアプリ１０４の機能切替ボタン１０６を操作（機能Ｂを選択）した状態が示されている。この例では、能切替ボタン１０６が操作されることで、メイン画面１０１で選択された文字列が、検索ワードとしてサブ画面１０２のサブアプリ１０４に渡され、該サブアプリ１０４のブラウザ機能にて検索した結果が表示されている状態が示されている。
【００４２】
上述した実施形態によれば、メイン画面１０１とサブ画面１０２とを、それぞれ異なるアプリケーションで使用するデュアルモードを実現したので、ＡｎｙＡｐｐ１０３をメイン画面１０１にそのまま表示・動作させつつ、サブ画面１０２に特定のサブアプリ１０４を動作させることで、サブアプリ１０４でＡｎｙＡｐｐ１０３を容易に支援することができる。
【００４３】
また、上述した実施形態によれば、メイン画面１０１とサブ画面１０２とを１つの画面とみなした上で、２画面に渡ってＡｎｙＡｐｐ１０３を表示（起動）するラージモードを実現したので、閲覧性と操作性を向上させることができる。
【００４４】
また、上述した実施形態によれば、筐体を開いた際にデュアルモードとラージモードのどちらで動作するかを設定可能とすることで、ユーザが通常利用することの多いモードで、すぐに利用可能とすることができる。言い換えれば、前述したデュアルモードによる効果、または、ラージモードによる効果のうち、どちらを優先するかをユーザの利用シーンに応じて選択することができる。
【００４５】
また、上述した実施形態によれば、上述したモード設定に従って筐体を開いた際のモードを決定することに加え、モード切替ボタンによって他方のモードへ切り替えることを可能としたので、筐体を開いた直後、あるいはユーザが操作を進めていく過程において、デュアルモード中にＡｎｙＡｐｐ１０３を大きく表示して閲覧・操作したくなった場合、あるいはラージモード中にサブアプリ１０４を利用したくなった場合など、任意のタイミングで、目的に応じた状態へ切り替えることができる。これらは特に、ニーズの細分化が進んでいる現代において大きな効果となる。
【００４６】
また、上述した実施形態によれば、ブラウザ機能を有するサブアプリ１０４を用いることにより、サブ画面１０２で、Ｗｅｂ上の情報を閲覧しつつ、メイン画面１０１で、ＡｎｙＡｐｐ１０３として任意のアプリケーションを利用することが可能となる。具体的な利用シーンとして、メイン画面１０１にてメールアプリケーションによりメールを作成しつつ、サブ画面１０２のブラウザ機能にて語句を検索する等がある。
【００４７】
また、上述した実施形態によれば、画像閲覧機能を有するサブアプリ１０４を用いることにより、サブ画面１０２で、事前にスクリーンショット、あるいはカメラで撮っておいた画像を閲覧しながら、メイン画面１０１で、ＡｎｙＡｐｐ１０３として任意のアプリケーションを利用可能とすることが可能となる。具体的な利用シーンとして、事前にバス停で撮影しておいた時刻表の写真をサブ画面１０２で閲覧しながら、メイン画面１０１にてメールアプリケーションによりメールを作成する等がある。
【００４８】
また、上述した実施形態によれば、動画閲覧機能を有するサブアプリ１０４を用いることにより、サブ画面１０２で、保存しておいた動画コンテンツ、あるいはテレビ等の放送中動画コンテンツを閲覧しながら、メイン画面１０１で、ＡｎｙＡｐｐ１０３として任意のアプリケーションを利用可能とすることが可能となる。具体的な利用シーンとしては、サブ画面１０２でサッカーのテレビ中継を閲覧しながら、メイン画面１０１にてＳＮＳ（Social Networking
Service）アプリケーションにより知人とリアルタイムにコミュニケーションを取る等がある。
【００４９】
また、上述した実施形態によれば、メモ作成・編集・閲覧機能を有するサブアプリ１０４を用いることにより、ＡｎｙＡｐｐ１０３を利用中に、その画面を見ながらメモを取ることや、また、事前に取っておいたメモを閲覧しながらＡｎｙＡｐｐ１０３として任意のアプリケーションを利用可能とすることが可能となる。具体的な利用シーンとしては、メイン画面１０１のメールアプリケーションにてメールで複数送付されてきた金額を閲覧しながら、その個々の金額をサブ画面１０２でメモし、更にその後、サブ画面１０２でメモした金額の一覧を閲覧しながら、メイン画面１０１で電卓アプリケーションにより総額を計算する等がある。
【００５０】
また、上述した実施形態によれば、任意のタイミングでメイン画面１０１のキャプチャ画像を取得し、それをサブ画面１０２にて表示する機能を有するサブアプリ１０４を用いることにより、あるタイミングのメイン画面１０１の画面を見ながら引き続きメイン画面１０１を切り替えて操作を継続することが可能となる。上述したメモ作成・編集・閲覧機能、ブラウザ機能、画像閲覧機能、動画閲覧機能と異なり、キャプチャ画像であるため、操作は行えないが、それらでは賄えない様々なＡｎｙＡｐｐ１０３の画面をサブ画面１０２に表示することができる。具体的な利用シーンとしては、メイン画面１０１のメールアプリケーションでアポイントメントを取ったメール詳細を表示中に、その画面をキャプチャしてサブ画面１０２にて表示し、それを見ながらメイン画面１０１をスケジュールアプリケーションに切り替えてスケジュール登録する等がある（図８参照）。
【００５１】
また、上述した実施形態によれば、メイン画面１０１に表示中の内容から文字列を範囲選択し、選択したキーワードを検索ワードとして、サブアプリ１０４のブラウザ機能で検索し、サブ画面１０２に検索結果を表示する機能を有するサブアプリ１０４を用いることにより、メイン画面１０１に表示中のキーワードを規定の検索エンジンにて検索するというシーンに限定されるものの、手動でのキーワード入力を含む一連のユーザ操作を省略することができる。これは、ＡｎｙＡｐｐ１０３で不明なキーワードが出てきたときに、すぐブラウザで検索して調べるという、利用されることが非常に多いケースである。このため、アプリケーションを切り替えることなく、容易に検索することができる。
【００５２】
具体的な利用シーンとしては、メイン画面１０１のメールアプリケーションでアポイントメントを取ったメール詳細を表示中に、記載されている面会場所が知らない場所であったため、サブアプリ１０４によって当該検索機能を実行し、メイン画面１０１の面会場所名をタップ操作して選択し、サブ画面１０２のサブアプリ１０４で検索実行することで、サブ画面１０２に検索結果を表示する等がある（図９参照）。
【００５３】
また、上述した実施形態によれば、デュアルモードにおいてサブ画面１０２側に、上述したように、２画面同時利用において効果的な機能を有するサブアプリ１０４を起動することで、基盤となるシステム（Ａｎｄｒｏｉｄ  ＯＳ（商標登録）等）内の任意のアプリケーションが２つ同時に起動できなくとも、２画面を有用に活用することができる。
【００５４】
これは、サイマルタスクが考慮されておらず、２つのアプリケーションを同時起動することができない、Ａｎｄｒｏｉｄ  ＯＳ（商標登録）等の１画面を前提としたシステムが広く利用されている携帯電話（スマートフォン）の分野において、特に効果が大きい。
【００５５】
また、上述した実施形態によれば、筐体２画面状態においてデュアルモードとラージモードという２つの状態をシステムとして持つことと、デュアルモードにおいてサブ画面１０２にサブアプリ１０４という固定のアプリケーションを起動可能とすることで、動作が非常にシンプルとなり、ユーザが理解しやすく使いやすくなる。仮に、そのようにしなかった場合、アプリケーションごとに１画面サイズだったり、２画面サイズだったりする動作となってしまう上、アプリケーションがメイン画面に表示されたり、サブ画面に表示されたりする動作となってしまう。このため、それらが重なり合うと、ユーザが状態を把握し切れなくなってしまう。携帯電話（スマートフォン）のように画面のサイズが限られており、すべてのアプリケーションの状態を、一覧性を持って表示することが困難なデバイスにおいて、特に大きな効果となる。
【００５６】
（その他の実施形態）
上述した実施形態では、サブアプリ１０４の機能をメモ作成・編集・閲覧機能、ブラウザ機能、画像閲覧機能、動画閲覧機能としたが、これに限らず、その他機能を有していてもよい。
【００５７】
また、上述した実施形態で説明した動作に加え、デュアルモード時に２画面を跨いだテキストのドラッグ＆ドロップを可能としてもよい。この場合、ＡｎｙＡｐｐ１０３のテキストをサブアプリ１０４側へ簡単にコピーする等が可能となり、操作手順を低減することができる。
【００５８】
また、上述した実施形態で説明した動作に加え、サブアプリ１０４を筐体１画面状態でも利用可能としてもよい。この場合、筐体１３、１４を閉じたままでもサブアプリ１０４に保存したメモの閲覧・編集等が可能となり、サブアプリ１０４を単独で利用したいシーンにおいて筐体１３、１４を開く操作を省略することができる。
【００５９】
図１０は、本発明の他の実施形態による携帯情報端末での表示例を示す模式図である。本他の実施形態では、図１０の左側に示すように、筐体１３、１４を閉じた筐体１画面状態において、メイン画面１０１にサブアプリ１０４を起動している。筐体１画面状態において、ディスプレイ１２（サブ画面１０２）を備える筐体１４を、図示の中央に示すように回動させると、図示の右側に示すように開状態、すなわち、ディスプレイ１１（メイン画面１０１）とディスプレイ１２（サブ画面１０２）とが共に前面に配置されている筐体２画面状態となる。デュアルモードであるので、メイン画面１０１のサブアプリ１０４は、サブ画面１０２（ディスプレイ１２）側に移動する。メイン画面１０１（ディスプレイ１１）側には、ＡｎｙＡｐｐ１０３が表示（起動）される。
【００６０】
図１０に示すように、メイン画面１０１でサブアプリ１０４を起動中に、筐体１３、１４を開いた場合には、上述した実施形態と同様に、サブ画面１０２でサブアプリ１０４を起動する。この場合、デュアルモードにおけるアプリケーションの配置が固定されるので、複数機能の同時利用という複雑な状況においても、ユーザがシステムの状態を理解しやすくなるという効果が得られる。なお、この場合、サブアプリ１０４は、筐体１画面状態では、ベースのシステム（Ａｎｄｒｏｉｄ  ＯＳ（登録商用））の仕様に沿ったアプリケーションとなる。
【００６１】
また、上述したように、サブアプリ１０４を筐体１画面状態で利用できることに加え、筐体２画面状態でサブアプリ１０４をラージモードでも利用可能としてもよい。この場合、サブアプリ１０４を大画面で利用することができ、閲覧性・操作性の向上、特にメモ作成・編集における文字入力の操作性を向上させることができる。
【００６２】
また、上述した実施形態で説明した動作に加え、ＡｎｙＡｐｐ１０３のブラウザアプリケーションとサブアプリ１０４のブラウザ機能とで、閲覧中サイトのＵＲＬをそれぞれへ簡易な操作で渡すことを可能としてもよい。具体的には、ＡｎｙＡｐｐ１０３のブラウザアプリケーション内に、閲覧中のページをサブアプリ１０４で表示するボタンを追加するか、あるいは、サブアプリ１０４のブラウザ機能内に、閲覧中のページをＡｎｙＡｐｐ１０３のブラウザアプリケーションで表示するボタンを追加する等の方法がある。この場合、任意のサイトをメイン画面１０１／サブ画面１０２で簡易に切り替えて表示させることができ、サイトを表示していない側の画面にて他の機能を利用することができるようになる。
【００６３】
また、上述した実施形態では、サブアプリ１０４側の操作を契機にキーワード抽出を行う動作としたが、ベースのシステム（Ａｎｄｒｏｉｄ  ＯＳ（商標登録）等）がテキストコピー等のためにテキスト範囲選択の仕組みを有していれば、その仕組みを拡張し、メイン画面１０１側のＡｎｙＡｐｐ１０３にてテキスト範囲選択を行った際に、その範囲選択したテキストを検索ワードとしてサブアプリ１０４側へ連携・検索結果を表示する動作としてもよい。
【００６４】
また、上述した実施形態では、筐体開閉の操作で筐体１画面状態と筐体２画面状態とを切り替えることとしたが、筐体をスライドさせることで筐体を開閉するスライド方式等でもよい。さらに言えば、ユーザ操作により、ハードウェア的にディスプレイ数が増減する、あるいは伸縮することでディスプレイサイズが変更となった場合に、それを契機に状態を切り替えればよい。この場合、サブアプリ１０４も１つに限らず複数起動してもよいし、ディスプレイを３画面以上有してもよいし、巻物のように１枚のディスプレイが可変サイズであってもよい。
【００６５】
また、ハードウェア的にディスプレイが増える、あるいは広がればよいとしたが、これに限らず、ハードウェア的に１つの固定サイズのディスプレイを、一時的に分割表示した上で、本発明におけるデュアルモードの機能（サブアプリ１０４の機能）を利用可能としてもよい。そうすることで、既存の多くのデバイスへ本発明を適用できる。
【００６６】
以下、本発明の特徴を付記する。
上記の実施形態の一部又は全部は、以下の付記のようにも記載されうるが、以下には限られない。
（付記１）
図１は、付記１の構成図である。この図に示すように、付記１記載の発明は、
表示に用いるディスプレイ数、あるいはディスプレイサイズが可変である表示部１５と、
ユーザ操作を契機に、分割したディスプレイ１１、１２のそれぞれに対して独立したアプリケーションの画面を表示するデュアルモードと、ディスプレイ１１、１２全体を１つのディスプレイとみなし、該１つのディスプレイに対して１つのアプリケーションの画面を表示するラージモードとを切り替え制御する制御部１７と
を備えることを特徴とする情報処理端末である。
【００６７】
（付記２）
前記制御部は、前記ユーザ操作の契機として、筐体の開閉操作に応じてディスプレイ数、あるいはディスプレイサイズが変わったことを契機に前記デュアルモードと前記ラージモードとを切り替えることを特徴とする付記２に記載の情報処理端末である。
【００６８】
（付記３）
前記制御部は、前記ユーザ操作の契機として、ユーザによるボタン操作を契機に前記デュアルモードと前記ラージモードとを切り替えることを特徴とする付記２に記載の情報処理端末である。
【００６９】
（付記４）
前記制御部は、前記表示部のディスプレイが前面に配置されている状態で、前記デュアルモードと前記ラージモードとを切り替えることを特徴とする付記１から３のいずれかに記載の情報処理端末である。
【００７０】
（付記５）
少なくとも任意のアプリケーションと特定のアプリケーションを有し、前記制御部は、前記デュアルモードでは、前記任意のアプリケーションの画面と前記特定のアプリケーションの画面とを、分割したディスプレイのそれぞれに対して表示させ、前記ラージモードでは、前記任意のアプリケーションの画面を前記１つのディスプレイに対して表示させることを特徴とする付記４に記載の情報処理端末である。
【００７１】
（付記６）
前記特定のアプリケーションは、複数の画面の同時利用に有用な機能として、少なくともメモ機能、ブラウザ機能、静止画閲覧機能、動画閲覧機能を有することを特徴とする付記５に記載の情報処理端末である。
【００７２】
（付記７）
前記特定のアプリケーションは、別画面のキャプチャ画像を表示する機能を有する
ことを特徴とする請求項５に記載の情報処理端末。
【００７３】
（付記８）
前記特定のアプリケーションは、別画面から検索ワードを抽出し、インターネット内の検索結果を表示する機能を有することを特徴とする付記５に記載の情報処理端末である。
【００７４】
（付記９）
表示に用いるディスプレイ数、あるいはディスプレイサイズが可変である表示部を有する情報処理端末の制御方法であって、ユーザ操作を検出するステップと、前記ユーザ操作が検出されたことを契機に、分割したディスプレイのそれぞれに対して独立したアプリケーションの画面を表示するデュアルモードと、ディスプレイ全体を１つのディスプレイとみなし、該１つのディスプレイに対して１つのアプリケーションの画面を表示するラージモードとを切り替え制御するステップとを含むことを特徴とする制御方法である。
【００７５】
（付記１０）
表示に用いるディスプレイ数、あるいはディスプレイサイズが可変である表示部を有する情報処理端末のコンピューに、ユーザ操作を検出する検出機能、前記ユーザ操作が検出されたことを契機に、分割したディスプレイのそれぞれに対して独立したアプリケーションの画面を表示するデュアルモードと、ディスプレイ全体を１つのディスプレイとみなし、該１つのディスプレイに対して１つのアプリケーションの画面を表示するラージモードとを切り替え制御する制御機能を実行させることを特徴とするプログラムである。
【符号の説明】
【００７６】
１０  携帯情報端末
１１、１２  ディスプレイ
１３、１４  筐体
１５  表示部
１６  開閉検出部
１７  制御部
１０１  メイン画面
１０２  サブ画面
１０３  ＡｎｙＡｐｐ
１０４  サブアプリ
１０５  モード切替ボタン
１０６  機能切替ボタン
【図１】
2014149699.tif 000003
【図２】
2014149699.tif 000004
【図３】
2014149699.tif 000005
【図４】
2014149699.tif 000006
【図５】
2014149699.tif 000007
【図６】
2014149699.tif 000008
【図７】
2014149699.tif 000009
【図８】
2014149699.tif 000010
【図９】
2014149699.tif 000011
【図１０】
2014149699.tif 000012